(57)【要約】【課題】  不正開封状態が一目でわかり、廃棄時に容器から手指だけで取り外せ、更に液だれした内容物がキャップ内に溜まることのない易分別性プラスチックキャップを提供する。【解決手段】  天板下に容器の口部に打栓するための打栓部分を有し且つ天板上に注出筒を有するキャップ本体と、注出筒に螺着脱する上蓋と、この上蓋にタンパーエビデント機構を介在させて連結したバンドとでなり、キャップ本体は打栓部分を切り欠くための脆弱部及びその脆弱部で囲った打栓部分に設けた切欠用ツマミを有し、上蓋は注出筒に螺着脱するネジ周壁及びその外側に外周壁を有して、ネジ周壁と外周壁との間に切欠用ツマミを位置させ、上記注出筒に上蓋を螺着脱させることにより、キャップ内に内容物が溜まらず、打栓部分を切欠用ツマミにて切り欠いたあと、注出筒に上蓋８螺着して上蓋と共にキャップ本体を離脱可能として、分別廃棄・不正開封防止機能を達成出来る。【選択図】  図１
2005059906.tif 000002
【特許請求の範囲】
【請求項１】
天板下に容器の口部に打栓するための打栓部分を有し、且つ前記天板上に注出筒を有す
るキャップ本体と、該キャップ本体の注出筒に螺着脱する上蓋と、該上蓋にタンパーエビ
デント機構を介在させて連結したバンドとからなり、
前記キャップ本体は前記打栓部分を切り欠くための脆弱部及びその脆弱部で囲った打栓
部分に設けた切欠用ツマミを有し、
前記上蓋は前記キャップ本体の注出筒に螺着脱するネジ周壁及びその外側に外周壁を有
して、前記ネジ周壁と前記外周壁との間に前記切欠用ツマミを位置させてなり、
前記キャップ本体の打栓部分を前記切欠用ツマミにて切り欠き、前記容器の口部から前
記キャップ本体を離脱可能としたことを特徴とする易分別性プラスチックキャップ。
【請求項２】
前記キャップ本体の注出筒は空洞部を有する請求項１記載の易分別性プラスチックキャ
ップ。
【請求項３】
前記切欠用ツマミはゲート型形状である請求項１または２記載の易分別性プラスチック
キャップ。
【請求項４】
前記タンパーエビデント機構は、前記上蓋とその下方の前記バンドとを易破断性のつな
ぎリブにて接続すると共に、前記上蓋及び前記バンドにストッパーを設けてこれらを螺着
方向に同調回転させ、且つ前記キャップ本体の外周面にキャップ本体側ラチェットを設け
前記バンドの内周面にバンド側ラチェットを設けて、前記キャップ本体を前記口部に打栓
した際の拡径により、キャップ本体側ラチェットがバンド側ラチェットにラップするよう
に設定し、更に前記つなぎリブ破断後の前記バンドの落下スペースを前記キャップ本体周
辺に確保した請求項１ないし３のいずれか１項記載の易分別性プラスチックキャップ。
【発明の詳細な説明】
【技術分野】
【０００１】
本発明は、食用油、飲料や調味料などを収容する容器の口部に打栓して使用する易分別
性プラスチックキャップに関し、より詳しくは、キャップ本体と、これに螺脱着する上蓋
と、これにタンパーエビデント機構を介在させて連結したバンドとからなり、不正開封時
上記バンドが下方スペースに落下するスペースを設けることによって、不正開封を一目で
わかるようにするとともに、キャップ内に注出筒から垂れた内容物が残留するのを回避し
、黴の発生を未然に防止した易分別性プラスチックキャップに関する。
【背景技術】
【０００２】
プラスチックキャップは、食用油、飲料や調味料などを収容する容器に多く使用され、
その多くは、主に製作上及び素材コストの面から、容器と異なった材質のものが使用され
ている。そして、このプラスチックキャップは、容器の口部に打栓して液密とし、更に容
易に外れないようにして液密状態を維持し、更に、タンパーエビデント機構を備えて、上
蓋を開封するとその事実が残り、各種のいたずらを防止できるようにしたものが大半であ
る。その上、このプラスチックキャップは、容器と異なった材質が使用され、液密状態維
持のため容器の口部から容易に外れないようにしているから、分別廃棄性を高めるための
種々の施策がなされている。このような易分別性プラスチックキャップの一般的な形状と
して、下記のものが知られている。
【０００３】
【特許文献１】実用新案登録第２５８９０３４号公報
【特許文献２】実開平７−８４６号公報
【特許文献３】特開２００１−９７４３１号公報
【０００４】
特許文献１の易分別性プラスチックキャップは、図１１に示すように、容器の口部ａの
先端小径部ｂに打栓すると共に注出筒ｃを有するキャップ本体ｄと、このキャップ本体ｄ
の外筒下端外周縁に脆弱部ｅにて連結し且つ破断するための弱化ライン及びツマミｆを有
する下筒ｇと、容器の口部ａの先端小径部ｂ下の大径ネジ部ｈに螺着脱する上蓋ｉと、か
らなり、分別廃棄の際、ツマミｆにて弱化ラインを破断して更に脆弱部ｅも破断して、キ
ャップ本体ｄの外筒下端外周縁から下筒ｇを切り離し、キャップ本体ｄの外筒下と注出筒
ｃ下との間に栓抜きを掛ければ、容器の口部ａからキャップ本体ｄを容易に取り外すこと
が出来るものである。
【０００５】
特許文献２の易分別性プラスチックキャップは、図１２に示すように、容器の口部ａに
打栓すると共に注出筒ｃ及びその外側にネジ周壁ｊを有するキャップ本体ｄ１と、このキ
ャップ本体ｄ１の外筒下端外周縁に脆弱部ｅにて連結し且つ破断するための弱化ライン及
びツマミｆを有する下筒ｇと、キャップ本体ｄ１のネジ周壁ｊに螺着脱する上蓋ｉ１と、
からなり、分別廃棄の際、ツマミｆにて弱化ラインを破断して更に脆弱部ｅも破断して、
キャップ本体ｄ１の外筒下端外周縁から下筒ｇを切り離し、キャップ本体ｄ１の外筒下と
注出筒ｃ下との間に栓抜きを掛ければ、容器の口部ａからキャップ本体ｄ１を容易に取り
外すことが出来るものである。
【０００６】
特許文献３の易分別性プラスチックキャップは、図１３、１４に示すように、筒部ｋと
、注出筒ｃと、遮断壁ｌと、スコアｍと、プルリングｎと、を備えたキャップ本体ｄ２、
及びこのキャップ本体ｄ２に螺着脱される上蓋ｉ２とからなり、引き裂き用のツマミｆが
注出筒ｃの外側に同心状に位置する筒部ｋの分離基端部より上方に立設され、筒部ｋには
分離基端部の内側位置に周方向スリット部ｏと、該周方向スリット部ｏの一端に連続する
縦方向弱化線と、該周方向スリット部ｏの他端に連続する周方向弱化線とが形成され、キ
ャップ本体ｄ２のツマミしろに相当する筒部外周裾部以外は上蓋ｉ２によって完全にカバ
ーされてなり、分別廃棄の際、上蓋ｉ２の凸部ｐを周方向スリット部ｏあるいは引き裂き
用のツマミｆに係合させ手前に引けば、まず縦方向弱化線が切れ、そのあと手指でツマミ
ｆを周方向に引けば、周方向弱化線も切れて、容器の口部ａからキャップ本体ｄ２を容易
に取り外すことが出来るものである。
【発明の開示】
【発明が解決しようとする課題】
【０００７】
特許文献１の易分別性プラスチックキャップは、ツマミｆによりキャップ本体ｄから下
筒ｇを切り離した後、キャップ本体ｄの外筒下と注出筒ｃ下との間に栓抜きを掛けなけれ
ば、容器の口部ａからキャップ本体ｄを取り外すことが出来ないから、栓抜きを必要とし
厄介である。また、容器は、口部ａが先端小径部ｂ及びその下の大径ネジ部ｈにて形成さ
れている特殊形状でなければならない。しかも、容器の口部ａから上蓋ｉを取り外すこと
が容易であることから、不正開封者による注出筒ｃなどの汚染や最悪内容物の改ざんも可
能にする虞がある。
【０００８】
また、特許文献２の易分別性プラスチックキャップは、ツマミｆによりキャップ本体ｄ
１から下筒ｇを切り離したあと、キャップ本体ｄ１の外筒下と注出筒ｃ下との間に栓抜き
を掛けなければ、容器の口部ａからキャップ本体ｄ１を取り外すことが出来ないから、や
はり栓抜きを必要とし厄介である。また、キャップ本体ｄと上蓋ｉとの間に広いスペース
があり、そこに注出筒ｃから垂れた内容物が溜まり易く、その内容物が変質して種々の不
都合を生じさせる。しかも、容器の口部ａから上蓋ｉ１を取り外すことが容易であるため
、不正開封者による注出筒ｃなどの汚染や最悪内容物の改ざんも可能にする虞がある。
【０００９】
さらに、特許文献３の易分別性プラスチックキャップは、上蓋ｉ２の凸部ｐを周方向ス
リット部ｏまたは引き裂き用のツマミｆに係合させ、あるいはこのツマミｆを直接手指に
て手前に引いて、まず縦方向弱化線を切り、そのあと手指でツマミｆを周方向に引けば、
周方向弱化線も切れる。しかし、キャップ本体ｄ２の筒部ｋにかなりの剛性があり同時に
周方向弱化線も切らなければならないから、手指でかなりの力でツマミｆを周方向に引け
なければ、筒部ｋを切ることが難しく、実際には口部ａからキャップ本体ｄ２を取り外す
ことが困難であり、切ったあとのバリにて手指を切る虞もある。その一方で、容器の口部
ａから上蓋ｉ２を取り外すことが容易であるから、不正開封者による注出筒ｃなどの汚染
や最悪時内容物の改ざんも可能にする虞がある。
【００１０】
そこで、本発明の目的は、内容物が直接触れる注出筒などの汚染や内容物の改ざんを防
止でき、注出筒から垂れた内容物がキャップ内に溜まらず、廃棄時に容器の口部から容易
に離別できて分別廃棄性を高めることの出来る易分別性プラスチックキャップを提供する
ことにある。
【課題を解決するための手段】
【００１１】
本発明は、上記目的を達成するために提案されたものであって、下記の構成からなるこ
とを特徴とするものである。
すなわち、本発明によれば、天板下に容器の口部に打栓するための打栓部分を有し且つ
前記天板上に注出筒を有するキャップ本体と、該キャップ本体の注出筒に螺着脱する上蓋
と、該上蓋にタンパーエビデント機構を介在させて連結したバンドとからなり、
前記キャップ本体は、前記打栓部分を切り欠くための脆弱部及びその脆弱部で囲った打
栓部分に設けた切欠用ツマミを有し、
前記上蓋は、前記キャップ本体の注出筒に螺着脱するネジ周壁及びその外側に外周壁を
有して、前記ネジ周壁と前記外周壁との間に前記切欠用ツマミを位置させてなり、
前記キャップ本体の打栓部分を前記切欠用ツマミにて切り欠き、前記容器の口部から前
記キャップ本体を離脱可能としたことを特徴とする易分別性プラスチックキャップが提供
される。
【００１２】
また、本発明によれば、前記キャップ本体の注出筒は空洞部を有する上記易分別性プラ
スチックキャップが提供される。
【００１３】
また、本発明によれば、前記切欠用ツマミはゲート型形状である上記易分別性プラスチ
ックキャップが提供される。
【００１４】
また、本発明によれば、前記タンパーエビデント機構は、前記上蓋とその下方の前記バ
ンドとを易破断性のつなぎリブにて接続すると共に、前記上蓋及び前記バンドにストッパ
ーを設けてこれらを螺着方向に同調回転させ、且つ前記キャップ本体の外周面にキャップ
本体側ラチェットを設け前記バンドの内周面にバンド側ラチェットを設けて、前記キャッ
プ本体を前記口部に打栓した際の拡径により、キャップ本体側ラチェットがバンド側ラチ
ェットにラップするように設定し、更に前記つなぎリブ破断後の前記バンドの落下スペー
スを前記キャップ本体周辺に確保した上記易分別性プラスチックキャップが提供される。
【発明の効果】
【００１５】
本発明によれば、キャップ本体の注出筒に上蓋が直接螺着脱する構成とし、キャップ本
体と上蓋との間に内容物が溜まるスペースをなくすことにより、内容物の残留に起因する
黴の発生を未然に防止することができる。また、切欠用ツマミにて脆弱部を破断してキャ
ップ本体の打栓部分を切り欠いたあと、容器の口部からキャップ本体を離脱出来、上蓋と
バンドとの間のタンパーエビデント機構により一旦開封するとその事実が残り、一目で不
正開封の事実が判明するようになっている。これによって、廃棄時に容器の口部からキャ
ップ本体を容易に離別でき、分別廃棄性を高めることが出来て、その上、内容物が直接触
れる注出筒などの汚染や内容物の改ざんを防止できる効果がある。
【００１６】
また、キャップ本体の注出筒に空洞部を設けることにより、注出筒を太くしても、材料
を余分に使用する必要がなく、且つ軽量に出来る効果がある。
【００１７】
更に、切欠用ツマミをゲート型すなわち門型形状とすることにより手指で掴みやすくな
り、容器の廃棄時に極めて容易に脆弱部を破断してキャップ本体の打栓部分を切り欠くこ
とが出来る効果がある。
【００１８】
また、請求項４の構成によれば、容器の口部にキャップ本体を打栓した際のキャップ本
体の拡径を利用して、キャップ本体側ラチェットをバンド側ラチェットにラップさせ、打
栓前のキャップ本体に上蓋をスムーズに螺着出来、打栓後のキャップ本体から上蓋を螺脱
するとタンパーエビデント機構が働き、つなぎリブを破断しバンドが落下スペースに落ち
るため、仮にタンパーエビデント機構の加工精度が低くても目的を達成出来、且つ、不正
開封が一目で分かる効果がある。
【発明を実施するための最良の形態】
【００１９】
以下に、図面を参照して本発明を実施するための最良の形態を説明する。
【実施例】
【００２０】
図１は本発明の実施例を示す易分別性プラスチックキャップの断面図、図２は同易分別
性プラスチックキャップのキャップ本体の側面図、図３は同易分別性プラスチックキャッ
プの上蓋の側面図である。図４は図２に示したキャップの平面図であり、図５はその裏面
図である。なお、図３のＶＩ−ＶＩ線に沿う断面図を図７に示した。
図面において、易分別性プラスチックキャップ１は、天板２下に容器３の口部４に打栓
するための打栓部分５を有し且つ天板２上に注出筒６を有するキャップ本体７と、このキ
ャップ本体７の注出筒６に螺着脱する上蓋８と、この上蓋８にタンパーエビデント機構９
を介在させて連結したバンド１０とからなり、キャップ本体７は打栓部分５を切り欠くた
めの脆弱部１１及びその脆弱部１１で囲った打栓部分５に設けた切欠用ツマミ１２を有し
、上蓋８はキャップ本体７の注出筒６に螺着脱するネジ周壁１３及びその外側の外周壁１
４を有して、ネジ周壁１３と外周壁１４との間に切欠用ツマミ１２を位置させてなり、キ
ャップ本体７の打栓部分５を切欠用ツマミ１２にて切り欠き、容器３の口部４からキャッ
プ本体７を離脱可能としたものである。
【００２１】
前記容器３は、その口部４に上記の易分別性プラスチックキャップ１を打栓できるもの
であれば特に限定がなく、ポリエチレン、ポリプロピレン、ポリエチレンテレフタレート
などの通常の容器用の材質が用いられる。この実施例では、食用油、調味料などで頻繁に
利用して、上蓋８による開閉栓が比較的多く行われるような、例えば、ポリエチレンテレ
フタレートなどのボトルタイプのプラスチック製の容器を想定している。
【００２２】
前記易分別性プラスチックキャップ１は、容器３とは異なる材質のプラスチック製のも
のであり、既述の通り、キャップ本体７と、これに螺脱着する上蓋８と、これらとの間に
タンパーエビデント機構９を介在させてなるバンド１０とからなる。キャップ本体７は、
その天板２下にインナーリング２０及びスカート部２１が設けられて前記打栓部分５が形
成され、この打栓部分５の開口２２に容器３の口部４をあてがい打栓することで液密とす
る。そして、キャップ本体７の天板２上に前記注出筒６を立設し、この注出筒６の外側面
に刻んだネジにより上蓋８を螺着脱するようになっている。更に、この注出筒６内には空
洞部２３が有り、この空洞部２３の要所に補強リブ２４が設けられて注出筒６が補強され
ている。したがって、キャップ本体７の注出筒６に上蓋８を螺着脱させ注出筒６から垂れ
た内容物が溜まらないようにするために、注出筒６を太くしてあるがこの空洞部２３によ
り成形材料を減らせ且つ軽量にすることが出来る。
【００２３】
そして、この注出筒６の底に位置する天板２に注出孔スコアー２５を設け、この注出孔
スコアー２５にて囲っている天板２にプルリング２６を取り付けてある。したがって、こ
のプルリング２６に手指を掛け引っ張れば、注出孔スコアー２５を破断でき開封すること
ができ、容器３の内容物を注出筒６から注ぎ出すことができる。その際、注出筒６から注
ぎ出された内容物が注出筒６の外側面にたれることがあっても、天板２及びスカート部２
１上を流れるだけで溜まることがなく、内容物の残留に起因する黴などの発生を未然に防
止することができる。
【００２４】
このキャップ本体７には分別廃棄機能が備わり、この分別廃棄機能は、本実施例におい
ては、図２、４、５に示すように、打栓部分５を構成している天板２及び前記スカート部
２１にかけてこれらの一部を切り欠く前記脆弱部１１を設けてあり、更にこの脆弱部１１
により囲われ切り欠かれる天板２上にゲート型形状の前記切欠用ツマミ１２を設けてある
構成とした。このゲート型形状の切欠用ツマミ１２により脆弱部１１を破断して、天板２
及びスカート部２１の一部を切り欠いて、容器３の口部４からキャップ本体７を取り外す
ことによって分別廃棄を容易にすることが出来る。さらに、キャップ本体７の注出筒６に
上蓋８を螺着して切欠部分５を上にして上蓋８をこねると、上蓋８と共にキャップ本体７
を容器３の口部４から容易に取り外せて、容器３と上蓋８及びキャップ本体７とを分別す
ることができ、これによっても、再資源化を図ったりあるいはそのまま分別廃棄すること
が出来る。なお、前記切欠用ツマミ１２は、ゲート型形状であり手指で掴みやすくしてい
るが、この形状に限定されず、例えば板状でも良い。
【００２５】
なお、この実施例においては、切り欠用ツマミ１２のゲートの脚部分に縦方向に形成し
た２本の脆弱部によって、面状の切り欠部分を取り外すようにしているが、このほかにも
、例えば、図６に示すように、スカート部２１に縦方向に１本とそれに連接して天板部に
１本の周状の脆弱部１１を形成し、キャップ本体を縦方向と周方向に鉤状に切り欠くこと
によっても分別廃棄機能を実現することができる。
【００２６】
前記上蓋８は、天板３０とその周縁に続く前記外周壁１４とで形成され、天板３０内面
に前記ネジ周壁１３及び更にその内側にインナーリング３１が同心的に設けられ、ネジ周
壁１３は前記キャップ本体７の注出筒６に螺着脱されて、インナーリング３１は注出筒６
に液密に内嵌されて内容物の漏れが防がれ、外周壁１４の外周にすべり止め３２が設けら
れて、キャップ本体７と螺着脱し易くしている。そして、キャップ本体７に上蓋８を螺着
した際、上蓋８の外周壁１４とネジ周壁１３との間に、キャップ本体７の天板２上にある
切欠用ツマミ１２を位置させてこれをガードしている。この上蓋８は、その下方の前記バ
ンド１０に前記タンパーエビデント機構９にて接続して一体状態となっている。このバン
ド１０は、リング状をなし、キャップ本体７のスカート部２１を覆う位置にある。
【００２７】
これら上蓋８及びその下方のバンド１０にはタンパーエビデント機構９が介在する。
このタンパーエビデント機構９は以下の通りである。
すなわち、タンパーエビデント機構９は、上蓋８とその下方のバンド１０とを易破断性
のつなぎリブ３３にて接続すると共に、上蓋８及びバンド１０にストッパー３４を設けて
これらを螺着方向に同調回転させ、且つキャップ本体７の外周面にキャップ本体側ラチェ
ット３５を設けバンド１０の内周面にバンド側ラチェット３６を設けて、キャップ本体７
を容器３の口部４に打栓した際のキャップ本体７の拡径により、キャップ本体側ラチェッ
ト３５がバンド側ラチェット３６にラップするように設定し、更につなぎリブ３３破断後
のバンド１０の落下スペース３７をキャップ本体７周辺に確保したものである。
【００２８】
したがって、まず、このバンド１０と一体構成の上蓋８をキャップ本体７に螺着する必
要があり、その際つなぎリブ３３を破断しないように、上蓋８の下端面及びバンド１０の
上端面に前記ストッパー３４を設けて、キャップ本体７に上記の上蓋８を螺着する際、す
なわち、上蓋８を時計方向に回すとストッパー３４同士が当たり、つなぎリブ３３に負荷
をかけず破断することなく螺着できる。
【００２９】
しかしながら、キャップ本体７から上蓋８を螺脱する際、バンド１０はキャップ本体７
側に残り上蓋８だけを螺脱する必要があるから、バンド１０の内周面にバンド側ラチェッ
ト３６を設け、キャップ本体７の外周面にキャップ本体側ラチェット３５を設けている。
両ラチェット３５及び３６の位置関係は、図８に示すように、キャップ本体７にバンド１
０と一体構成の上蓋８を螺着した状態ではラップせず（螺着に支障がなければわずかにラ
ップしても良い。）、図９に示すように、キャップ本体７を容器３の口部４に打栓した際
のキャップ本体７の拡径により、キャップ本体側ラチェット３５も外側に膨らみ、バンド
側ラチェット３６にＨ寸法だけラップするように設定している。
【００３０】
すなわち、バンド１０と一体構成の上蓋８は先にキャップ本体７に螺着した後、その状
態で容器３の口部４に打栓するから、その際のキャップ本体７の拡径によるキャップ本体
側ラチェット３５の外側への膨らみを利用することが可能となる。したがって、キャップ
本体７から上蓋８を螺脱すると（図１０中矢線方向、すなわち反時計方向に回すと）、キ
ャップ本体側ラチェット３５とバンド側ラチェット３６とがＨ寸法だけラップしているか
ら、図１０で明らかなとおり、バンド側ラチェット３６はキャップ本体側ラチェット３５
を乗り越えることは出来ず、バンド１０は動かなくなりつなぎリブ３３が破断することに
なる。そして、破断後のバンド１０は、キャップ本体側ラチェット３５とバンド１０上部
の庇部分とが当たるまでＨ１寸法だけ落下スペース３７へ落下するから、不正開封の事実
が一目で明確に判明する。
【００３１】
なお、バンド１０上面に数カ所のラック３８を上蓋８とわずかな間隔をあけて設け、バ
ンド１０と上蓋８との一体構成品状態、更にこれらをキャップ本体７に螺着した状態、並
びに容器３の口部４に打栓状態でのつなぎリブ３３の破断を防止し、特に垂直方向の外力
に対してラック３８にて支持して、つなぎリブ３３に外力が加わらないようにしている。
なお、図１、５中の３９はキャップ本体７に設けた回り止めであり、キャップ本体７にバ
ンド１０と一体構成の上蓋８を螺着する際、バンド１０及び上蓋８によりキャップ本体７
を覆いつくすことになり固定しずらいから、この回り止め３９に冶具をあてるなどして、
キャップ本体７の連れ回りを防いで、スムーズにキャップ本体７に一体構成の上蓋８を螺
着出来るようにしている。
【００３２】
次に、上記構成になる易分別性プラスチックキャップ１の利用方法について説明する。
予めキャップ本体７にバンド１０と一体の上蓋８を螺着しておき、キャップ本体７の回り
止め３９に冶具をあてるなどし、注出筒６にバンド１０と一体の上蓋８をあてがい、上蓋
８を時計方向に回すと上蓋８及びバンド１０のストッパー３４同士が直ぐに当たり、回り
止め３９によりキャップ本体７が連れ回りせず、つなぎリブ３３に負荷をかけずにキャッ
プ本体７に螺着できる。そして、容器３内に内容物を充填し、易分別性プラスチックキャ
ップ１のキャップ本体７のインナーリング２０及びスカート部２１の開口２２に容器３の
口部４をあてがい打栓することで、容器３内を液密として最終製品とする。
【００３３】
この製品の消費に際しては、少なくとも易分別性プラスチックキャップ１の部分を裸出
し、上蓋８のすべり止め３２を利用して手指にてキャップ本体７から上蓋８を螺脱、すな
わち反時計方向に回すと、キャップ本体側ラチェット３５とバンド側ラチェット３６とが
Ｈ寸法だけラップしているからバンド１０は動かず、なおも上蓋８を反時計方向に回すと
、つなぎリブ３３を破断して上蓋８を螺脱出来、内容物を容器３内から取り出すことが出
来る。この際、液切れが悪く注出筒６から内容物が外側面に垂れることがあっても、天板
２及びスカート部２１上を流れるだけで溜まることがない。また、容器３に内容物が残留
していれば再び口部４に上蓋８を螺着することができ、保存が容易となる。一方、破断後
のバンド１０は落下スペース３７に落下しているから、もし上記した螺脱が不正開封であ
れば、正当開封者はバンド１０が落下スペース３７に落下していることを目視することに
より、不正開封の事実を直ぐにしかも明確に認識でき、危険を容易に回避できる。
【００３４】
そして、容器３内の内容物を使い切ったら、容器３と異材質の易分別性プラスチックキ
ャップ１とを分別廃棄すべく、口部４から上蓋８を外したままで、まず、バンド１０を上
方に抜き取り、切欠用ツマミ１２をつかみ脆弱部１１を破断して、キャップ本体７の打栓
部分５、すなわち、天板２及びスカート部２１の一部を切り欠き、そのまま容器３の口部
４からキャップ本体７を取り外す。あるいは、キャップ本体７の注出筒５に上蓋８を螺着
し切り欠いた部分を上にしてこねると、容器３の口部４からキャップ本体７を上蓋８と共
に完全に分離できて、手指を痛めることがない。したがって、特に、用具を使うことなく
手指のみで、容器３の口部４から上蓋８は無論、キャップ本体７並びにこれに遊嵌してい
るバンド１０を外すことが出来て、分別廃棄の実を上げることが出来る。
【００３５】
以上、本発明の実施例を説明したが、具体的な構成はこれに限定されず、本発明の要旨
を逸脱しない範囲での変更は適宜可能であることは理解されるべきである。
【産業上の利用可能性】
【００３６】
本発明の易分別性プラスチックキャップは、容器との分別廃棄性を要求され、内容物が
直接触れる部分の汚染や内容物の改ざん防止の機能を求められる場合に有効であり、且つ
、内容物が、例えば、酢などのように変質し易いものに特に有用であり、そのような場合
には利用可能性が極めて高くなる。
【図面の簡単な説明】
【００３７】
【図１】本発明の１実施例を示す易分別性プラスチックキャップの断面図である。
【図２】同上易分別性プラスチックキャップのキャップ本体の側面図である。
【図３】同上易分別性プラスチックキャップの上蓋の側面図である。
【図４】同上易分別性プラスチックキャップのキャップ本体の平面図である。
【図５】同上易分別性プラスチックキャップのキャップ本体の裏面図である。
【図６】図２と異なる脆弱部を形成したキャップ本体の側面図である。
【図７】図３のＶＩ−ＶＩ線に沿う断面図である。
【図８】同上易分別性プラスチックキャップの打栓前の半裁断面図である。
【図９】同上易分別性プラスチックキャップを容器の口部に打栓した状態の半裁断面図である。
【図１０】同上易分別性プラスチックキャップの両ラチェットの配置状態の断面図である。
【図１１】従来例を示すキャップの断面図である。
【図１２】他の従来例を示すキャップの断面図である。
【図１３】他の従来例を示すキャップの断面図である。
【図１４】従来例を示すキャップの側面図である。
【符号の説明】
【００３８】
１                        易分別性プラスチックキャップ
２，３０                  天板
３                        容器
４，ａ                    口部
５                        打栓部分
６，ｃ                    注出筒
７，ｄ，ｄ１，ｄ２        キャップ本体
８，ｉ，ｉ１，ｉ２        上蓋
９                        タンパーエビデント機構
１０                      バンド
１１，ｅ                  脆弱部
１２                      切欠用ツマミ
１３，ｊ                  ネジ周壁
１４                      外周壁
２０，３１                インナーリング
２１                      スカート部
２２                      開口
２３                      空洞部
２４                      補強リブ
２５                      注出孔スコアー
２６，ｎ                  プルリング
３２                      すべり止め
３３                      つなぎリブ
３４                      ストッパー
３５                      キャップ本体側ラチェット
３６                      バンド側ラチェット
３７                      落下スペース
３８                      ラック
３９                      回り止め
ｂ                        先端小径部
ｆ                        ツマミ
ｇ                        下筒
ｈ                        大径ネジ部
ｋ                        筒部
ｌ                        遮断壁
ｍ                        スコア
ｏ                        周方向スリット部
ｐ                        凸部
【図１】
2005059906.tif 000003
【図２】
2005059906.tif 000004
【図３】
2005059906.tif 000005
【図４】
2005059906.tif 000006
【図５】
2005059906.tif 000007
【図６】
2005059906.tif 000008
【図７】
2005059906.tif 000009
【図８】
2005059906.tif 000010
【図９】
2005059906.tif 000011
【図１０】
2005059906.tif 000012
【図１１】
2005059906.tif 000013
【図１２】
2005059906.tif 000014
【図１３】
2005059906.tif 000015
【図１４】
2005059906.tif 000016